(57)【要約】【課題】換気面積を広げて内部空気の換気量を増大させ、温室の支持骨組に加えられる荷重を減らすと共に、風や荷重に上手く耐えるようにする温室屋根の両方向換気窓開閉装置を提供すること。【解決手段】水平トラスと、前記水平トラスの上部に屋根部材を形成する屋根トラスと、前記屋根部材に形成された換気窓と、前記屋根トラスの上端部に横方向に長く形成され、多数が縦方向に配列されたオープンヒンジと、前記屋根トラスの外側の傾斜した両面にそれぞれ形成されて前記換気窓を開閉するが、その上部が前記オープンヒンジに回動可能に両方向に結合して、左右に互いに面接しつつ横方向に連動設置された多数の第１開閉部材及び第２開閉部材と、前記第１開閉部材及び第２開閉部材の下部を支持し、その下部を押したり引っ張って多数の前記第１開閉部材及び第２開閉部材をそれぞれヒンジを中心として両側の左右方向に回動させる駆動手段とを備えること特徴とする。【選択図】図１
2012100545.tif 000002
【特許請求の範囲】
【請求項１】
水平方向の構造を有する水平トラスと、
前記水平トラスの上部に両側に傾斜した三角形状の構造を多数形成し、その上に屋根部材を形成する屋根トラスと、
前記屋根部材に形成されて外部空気を室内に循環させる換気窓と、
前記屋根トラスの上端部に横方向に長く形成され、多数が縦方向に配列されたオープンヒンジと、
前記屋根トラスの外側の傾斜した両面にそれぞれ形成されて前記換気窓を開閉するが、その上部が前記オープンヒンジに回動可能に両方向に結合して、左右に互いに面接しつつ横方向に連動設置された多数の第１開閉部材及び第２開閉部材と、
多数の前記第１開閉部材及び第２開閉部材の下部を支持し、その下部を押したり引っ張って多数の前記第１開閉部材及び第２開閉部材をそれぞれ別々にまたは一緒にヒンジを中心として両側の左右方向に回動させる駆動手段と、
を備えることを特徴とする温室屋根の両方向換気窓開閉装置。
【請求項２】
前記多数の第１開閉部材と多数の第２開閉部材は、
その平面配置において前記オープンヒンジを中心として両側方向に対向配置するが、それぞれ互い違いに千鳥状に配置される、
ことを特徴とする請求項１に記載の温室屋根の両方向換気窓開閉装置。
【請求項３】
前記駆動手段は、
第１モーターと、
前記第１モーターにつれ回転するように横方向に延設された第１駆動パイプと、
前記第１駆動パイプに連結されて前記第１モーターの回転運動を直線運動に切り替える多数の第１ラックピニオンと、
前記多数の第１ラックピニオンと係合して前後方向に直線運動する多数の第１従動パイプと、
一方の側が多数の前記第１従動パイプと平行に並ぶようにヒンジ結合されて水平移動し、他方の側がそれぞれの多数の前記第１開閉部材の下部にヒンジ結合されて前記第１開閉部材を前方の上下方向に昇降させる多数の第１オープン押圧桿と、
第２モーターと、
前記第２モーターにつれ回転するように横方向に延設された第２駆動パイプと、
前記第２駆動パイプに連結されて前記第２モーターの回転運動を直線運動に切り替える多数の第２ラックピニオンと、
前記多数の第２ラックピニオンと係合して前後方向に直線運動する多数の第２従動パイプと、
一方の側が多数の前記第２従動パイプと平行に並ぶようにヒンジ結合されて水平移動し、他方の側がそれぞれの多数の前記第２開閉部材の下部にヒンジ結合されて前記第２開閉部材を後方の上下方向に昇降させる多数の第２オープン押圧桿と、
を備えることを特徴とする請求項１に記載の温室屋根の両方向換気窓開閉装置。
【請求項４】
前記第１オープン押圧桿と前記第２オープン押圧桿は、
隣り合う第１及び第２オープン押圧桿同士が互いに干渉しないように互い違いに平行に並設されて、それぞれの前記第１及び第２従動パイプからそれぞれの前記第１及び第２開閉部材に連結される、
ことを特徴とする請求項３に記載の温室屋根の両方向換気窓開閉装置。
【請求項５】
前記第１オープン押圧桿と前記第２オープン押圧桿は、
それぞれの第１及び第２開閉部材の角４個所に連結され、前記第１及び第２従動パイプには１個所に連結されるブラケット状に構成する、
ことを特徴とする請求項３に記載の温室屋根の両方向換気窓開閉装置。
【請求項６】
前記第１及び第２従動パイプは、
多数が平行に並設されるが、それぞれの第１及び第２従動パイプが１本おきに１本ずつ互い違いに配列される、
ことを特徴とする請求項３に記載の温室屋根の両方向換気窓開閉装置。
【請求項７】
前記水平トラスの一方の側の上端に形成され、その上に前記第１及び第２ラックピニオンを載せて支持するラックピニオン支持梁と、
前記水平トラスの他方の側の上端に形成され、その上に前記第１及び第２ラックピニオンと連結された前記第１及び第２従動パイプを載せて支持するパイプローラー固定梁と、をさらに備えることを特徴とする請求項３に記載の温室屋根の両方向換気窓開閉装置。
【請求項８】
前記屋根部材は、
不透明または透明の材質のパネルを前記屋根トラスの表面に選択的に形成する、
ことを特徴とする請求項１に記載の温室屋根の両方向換気窓開閉装置。
【請求項９】
室内外温度を検出し、その温度変化に応じて異なる大きさの信号を出力する温度検出及び駆動制御部をさらに備え、
前記駆動手段は、前記温度検出及び駆動制御部から出力された信号の大きさに応じて多数の前記第１開閉部材及び第２開閉部材をヒンジを中心として左右方向に回動させて、温度変化に応じてその開閉角度を変化させる、
ことを特徴とする請求項１に記載の温室屋根の両方向換気窓開閉装置。
【発明の詳細な説明】
【技術分野】
【０００１】
本発明は、温室屋根の両方向換気窓開閉装置に関するもので、さらに詳しくは、両方向連動型に屋根を開閉することにより換気面積を広げて温室内部空気の換気量を増大させ、温室の支持骨組に加えられる荷重を減らすと共に、その屋根固定構造を強固にして風や荷重に上手く耐えるようにする温室屋根の両方向換気窓開閉装置に関するものである。
【背景技術】
【０００２】
一般に、温室は、暖地植物を栽培したり、普通時期以外に開花・結実させる目的などで使用するものであり、特に、室内温度や湿度などの環境を、一定の状態に維持するための換気を目的に屋根を開閉する装置を使用している。
【０００３】
通常、ガラス、ＰＥフィルムなどの硬質フィルム及び各種のその他の温室被覆材料を用いて製作される温室の屋根開閉装置は、屋根の棟を中心として左右に対称をなすように対をなして形成されるか、あるいは、前記棟を中心として一方の側にのみ形成され、屋根そのものが上昇及び下降したり、棟を中心として回転されることにより開閉されて、温室内部の空気を換気させて温室内部の温度を調節する。
【０００４】
屋根の棟を中心として左右に対称をなすように対をなして形成された温室の屋根は、一般的に、設置空間の確保し易さと温室の支持骨組に加えられる荷重の低減化を両立させるために、屋根そのものを上昇及び下降させて開閉するような屋根開閉装置を使用する。
【０００５】
しかしながら、上述したように屋根そのものを上昇及び下降させて屋根を開閉させるような屋根開閉装置は、支持可能な屋根そのものの荷重に限界があるだけではなく、屋根の開放時に換気口が小さくて屋根面積の概ね２５％しか開閉することができないため、夏場における高温の温室内部の室内空気を十分に換気させることができず、夏場における温室内部の温度調節に難点があるという不都合があった。
【０００６】
また、駆動モーターの駆動力をラックとピニオンギアを介して伝えてプッシュバーを押し上げることにより屋根を棟を中心として回転させて開閉させるような従来の屋根開閉装置は、一つの屋根にそれぞれ一つずつのラックピニオン及びモーターが適用されるものであり、棟を中心として対をなして形成された屋根には設置空間の確保が困難であるという問題点があるだけではなく、たとえ設置できたとしても、支持骨組に加えられる荷重が増大して温室の安定性を確保することが困難であり、温室施工費用が高くつくという不都合があった。
【発明の概要】
【発明が解決しようとする課題】
【０００７】
そこで、本発明は、上述した問題点を解消するためになされたものであり、その目的は、両方向連動型に屋根を開閉することにより、換気面積を広げて温室内部空気の換気量を増大させる温室屋根の両方向換気窓開閉装置を提供するところにある。
【０００８】
また、本発明の他の目的は、温室の支持骨組に加えられる荷重を減らすと共に、その屋根固定構造を強固にして、風や荷重に上手く耐えるようにする温室屋根の両方向換気窓開閉装置を提供するところにある。
【課題を解決するための手段】
【０００９】
上述した目的を達成するために、本発明による温室屋根の両方向換気窓開閉装置は、水平方向の構造を有する水平トラスと、前記水平トラスの上部に両側に傾斜した三角形状の構造を多数形成し、その上に屋根部材を形成する屋根トラスと、前記屋根部材に形成されて外部空気を室内に循環させる換気窓と、前記屋根トラスの上端部に横方向に長く形成され、多数が縦方向に配列されたオープンヒンジと、前記屋根トラスの外側の傾斜した両面にそれぞれ形成されて前記換気窓を開閉するが、その上部が前記オープンヒンジに回動可能に両方向に結合して、左右に互いに面接しつつ横方向に連動設置された多数の第１開閉部材及び第２開閉部材と、多数の前記第１開閉部材及び第２開閉部材の下部を支持し、その下部を押したり引っ張って多数の前記第１開閉部材及び第２開閉部材をそれぞれ別々にまたは一緒にヒンジを中心として両側の左右方向に回動させる駆動手段と、を備えることを特徴とする。
【００１０】
ここで、前記多数の第１開閉部材と多数の第２開閉部材は、その平面配置において前記オープンヒンジを中心として両側方向に対向配置するが、それぞれ互い違いに千鳥状に配置される。
【００１１】
また、前記駆動手段は、第１モーターと、前記第１モーターにつれ回転するように横方向に延設された第１駆動パイプと、前記第１駆動パイプに連結されて前記第１モーターの回転運動を直線運動に切り替える多数の第１ラックピニオンと、前記多数の第１ラックピニオンと係合して前後方向に直線運動する多数の第１従動パイプと、一方の側が多数の前記第１従動パイプと平行に並ぶようにヒンジ結合されて水平移動し、他方の側がそれぞれの多数の前記第１開閉部材の下部にヒンジ結合されて前記第１開閉部材を前方の上下方向に昇降させる多数の第１オープン押圧桿と、第２モーターと、前記第２モーターにつれ回転するように横方向に延設された第２駆動パイプと、前記第２駆動パイプに連結されて前記第２モーターの回転運動を直線運動に切り替える多数の第２ラックピニオンと、前記多数の第２ラックピニオンと係合して前後方向に直線運動する多数の第２従動パイプと、一方の側が多数の前記第２従動パイプと平行に並ぶようにヒンジ結合されて水平移動し、他方の側がそれぞれの多数の前記第２開閉部材の下部にヒンジ結合されて前記第２開閉部材を後方の上下方向に昇降させる多数の第２オープン押圧桿と、を備える。
【００１２】
また、前記第１オープン押圧桿と前記第２オープン押圧桿は、隣り合う第１及び第２オープン押圧桿同士が互いに干渉しないように互い違いに平行に並設されて、それぞれの前記第１及び第２従動パイプからそれぞれの前記第１及び第２開閉部材に連結される。
【００１３】
また、前記水平トラスの一方の側の上端に形成され、その上に前記第１及び第２ラックピニオンを載せて支持するラックピニオン支持梁と、前記水平トラスの他方の側の上端に形成され、その上に前記第１及び第２ラックピニオンと連結された前記第１及び第２従動パイプを載せて支持するパイプローラー固定梁と、をさらに備える。
【００１４】
また、前記第１オープン押圧桿と前記第２オープン押圧桿は、それぞれの第１及び第２開閉部材の角４個所に連結され、前記第１及び第２従動パイプには１個所に連結されるブラケット状に構成する。
【００１５】
また、前記第１及び第２従動パイプは、多数が平行に並設されるが、それぞれの第１及び第２従動パイプが１本おきに１本ずつ互い違いに配列される。
【００１６】
また、前記屋根部材は、不透明または透明の材質のパネルを前記屋根トラスの表面に選択的に形成する。
【００１７】
また、本発明は、室内外温度を検出し、その温度変化に応じて異なる大きさの信号を出力する温度検出及び駆動制御部をさらに備え、前記駆動手段は、前記温度検出及び駆動制御部から出力された信号の大きさに応じて多数の前記第１開閉部材及び第２開閉部材をヒンジを中心として左右方向に回動させて、温度変化に応じてその開閉角度を変化させることが好ましい。
【発明の効果】
【００１８】
上記した本発明による温室屋根の両方向換気窓開閉装置によれば、両方向連動型に屋根を開閉することにより、換気面積を広げて温室内部空気の換気量を増大させることができ、温度に応じて適正な換気を維持することができるという効果がある。
【００１９】
また、温室の支持骨組に加えられる荷重を減らすと共に、その屋根固定構造を強固にして、風や荷重に上手く耐えるようにする強い構造を提供する効果もある。
【図面の簡単な説明】
【００２０】
【図１】本発明による温室屋根の両方向換気窓開閉装置を示す側面図である。
【図２】図１の平面図である。
【図３】本発明の第１及び第２開閉部材を多数構成した温室屋根の両方向換気窓開閉装置を示す側面図である。
【図４】図３の平面図である。
【図５】本発明による片側換気窓を開いた状態を示す斜視図である。
【図６】本発明による両側換気窓を両方とも閉じた状態を示す斜視図である。
【図７】本発明による両側換気窓を両方とも開いた状態を示す斜視図である。
【発明を実施するための形態】
【００２１】
以下、添付図面に基づき、本発明の一実施の形態を詳述する。
【００２２】
図１は、本発明による温室屋根の両方向換気窓開閉装置を示す側面図であり、図２は、図１の平面図である。
【００２３】
図示の如く、本発明による温室屋根の両方向換気窓開閉装置は、温度検出及び駆動制御部１００、第１開閉部材２０１、オープンヒンジ１０２、第１オープン押圧桿２０３、水平トラス１０５、水受け梁１１０、パイプローラー固定梁１１１、ラックピニオン支持梁１１２、柱１１４、屋根トラス１１５、水受け１１６、補助柱トラス１１８、屋根部材１１９、換気窓１２０、第１従動パイプ２０４、第１ラックピニオン２０６、パイプローラー２０７、第１駆動パイプ２０８、第１押圧桿ヒンジ２０９、第１モーター２１３、第２開閉部材４０１、第２オープン押圧桿４０３、第２従動パイプ４０４、第２ラックピニオン４０６、パイプローラー４０７、第２駆動パイプ４０８、第２押圧桿ヒンジ４０９及び第２モーター４１３を備える。
【００２４】
水平トラス１０５は、通常の水平方向の構造を有する。前記水平トラス１０５は、別途の柱１１４または補助柱１１８の上に形成可能である。
【００２５】
屋根トラス１１５は、前記水平トラス１０５の上部に三角形の屋根を形成する。すなわち、前記屋根トラス１１５は、前記水平トラス１０５の上部に両側に傾斜した三角形状の構造を多数形成し、その上に屋根部材１１９を形成する。
【００２６】
前記水平トラス１０５及び屋根トラス１１５から構成された構造物の外壁には、ガラスを設置して通常の三角形状の屋根を有するガラス温室を構成することになる。
【００２７】
また、前記屋根トラス１１５の上端部に横方向にオープンヒンジ１０２が長く形成され、前記オープンヒンジ１０２は多数が縦方向、すなわち、前後方向に平行に並ぶように配列される。
【００２８】
前記屋根部材１１９には、換気窓１２０が形成されて外部空気を室内に循環させる。前記換気窓１２０は、横方向に長い連窓から形成される。
【００２９】
多数の第１開閉部材２０１及び第２開閉部材４０１は、前記屋根トラス１１５の外側の傾斜した両面にそれぞれ形成されて前記換気窓１２０を開閉するが、その上部が前記オープンヒンジ１０２に回動可能に両方向に結合して、左右に隣り合う部材同士が面接しつつ横方向に連動されるように設置される。
【００３０】
また、本発明の駆動手段は、多数の前記第１開閉部材２０１及び第２開閉部材４０１の下部を支持し、その下部を押したり引っ張って多数の前記第１開閉部材２０１及び第２開閉部材４０１を、それぞれ別々にまたは一緒にヒンジを中心として両側の左右方向に回動させる。
【００３１】
このために、前記駆動手段は、第１モーター２１３、第１駆動パイプ２０８、多数の第１ラックピニオン２０６、多数の第１従動パイプ２０４、多数の第１オープン押圧桿２０３、第２モーター４１３、第２駆動パイプ４０８、多数の第２ラックピニオン４０６、多数の第２従動パイプ４０４、多数の第２オープン押圧桿４０３を備える。
【００３２】
第１駆動パイプ２０８は、前記第１モーター２１３につれ回転するように横方向に延設され、多数の第１ラックピニオン２０６は、前記第１駆動パイプ２０８に連結されて前記第１モーター２１３の回転運動を直線運動に切り替える。
【００３３】
多数の第１従動パイプ２０４は、前記多数の第１ラックピニオン２０６と係合された前後方向に直線運動する。
【００３４】
多数の第１オープン押圧桿２０３は、一方の側が多数の前記第１従動パイプ２０４と平行に並ぶようにヒンジ結合されて水平移動し、他方の側がそれぞれの多数の前記第１開閉部材２０１の下部にヒンジ結合されて前記第１開閉部材２０１を前方の上下方向に昇降させる。
【００３５】
このとき、前記多数の第１オープン押圧桿２０３と第２オープン押圧桿４０３は、前記換気窓１２０を貫通して互いに干渉することなく上下方向に昇降可能である。
【００３６】
また、前記第１オープン押圧桿２０３と前記第２オープン押圧桿４０３は、それぞれの第１及び第２開閉部材２０１、４０１の角４個所に連結され、前記第１及び第２従動パイプ２０４、４０４には１個所に連結されるブラケット状に構成する。
【００３７】
第２駆動パイプ４０８は、前記第２モーター４１３につれ回転するように横方向に延設され、多数の第２ラックピニオン４０６は、前記第２駆動パイプ４０８に連結されて前記第２モーター４１３の回転運動を直線運動に切り替える。
【００３８】
多数の第２従動パイプ４０４は、前記多数の第２ラックピニオン４０６と係合されて前後方向に直線運動する。
【００３９】
多数の第２オープン押圧桿４０３は、一方の側が多数の前記第２従動パイプ４０４と平行に並ぶようにヒンジ結合されて水平移動し、他方の側がそれぞれの多数の前記第２開閉部材４０１の下部にヒンジ結合されて前記第２開閉部材４０１を後方の上下方向に昇降させる。
【００４０】
ここで、前記第１モーター２１３及び第２モーター４１３は、回転力を発生させるものであり、例えば、減速器（図示せず）が備えられるか、または減速器が内蔵されたウォームギアードモーターを適用することができる。好ましくは、第１モーター２１３及び第２モーター４１３は、後述する温度検出及び駆動制御部１００から出力される信号の大きさに応じて正逆転する。
【００４１】
ラックピニオン支持梁１１２は、前記水平トラス１０５の一方の側の上端に形成され、その上に前記第１及び第２ラックピニオン２０６、４０６を載せて支持する。
【００４２】
パイプローラー固定梁１１１は、前記水平トラス１０５の他方の側の上端に形成され、その上に前記第１及び第２ラックピニオン２０６、４０６と連結された前記第１及び第２従動パイプ２０４、４０４を載せて支持する。
【００４３】
このような構成により、第１開閉部材２０１は、その上部が前記屋根トラス１１５の上端部に回動可能にヒンジ固定されて換気窓１２０を開閉し、第１オープン押圧桿２０３は一方の側が前記第１開閉部材２０１の下部を支持する。このため、前記第１オープン押圧桿２０３を押したり引っ張って前記第１開閉部材２０１を、一方の側が固定された状態で他方の側を上下方向に回動させる。
【００４４】
このため、前記第１モーター２１３が回転すると、前記第１従動パイプ２０４が前後方向に移動することになり、このように第１従動パイプ２０４が前後方向に移動するにつれて第１オープン押圧桿２０３が前記第１開閉部材２０１の下部を押したり引っ張って前記第１開閉部材２０１の角度を変える。
【００４５】
このため、第１開閉部材２０１は、室内外の温度変化に応じて最大または最適な開閉角度を維持することができる。
【００４６】
一方、第２開閉部材４０１は、その上部が前記屋根トラス１１５の上端部に回動可能にヒンジ固定されて換気窓１２０を開閉するが、前記第１開閉部材２０１の反対側に形成されている。
【００４７】
第２オープン押圧桿４０３は、一方の側が前記第２開閉部材４０１の下部を支持する。また、前記第２オープン押圧桿４０３の他方の側を固定し、前記第２オープン押圧桿４０３を押したり引っ張って前記第２開閉部材４０１を、一方の側が固定された状態で他方の側を上下方向に回動させる。
【００４８】
このとき、前記第１開閉部材２０１と第２開閉部材４０１は、東西方向に設置されることが好ましい。このため、前記第１開閉部材２０１と第２開閉部材４０１を回動させて最大または最適な開放状態で室内換気を行うことができる。
【００４９】
一方、温度検出及び駆動制御部１００は、屋根部材１１９の上に設置されて室内外温度を検出する。
【００５０】
本発明の温度検出及び駆動制御部１００は、例えば、２以上の温度センサー（図示せず）を取り付けた後、２つのセンサーにより検出される温度を比較してその変化を検出できるように構成することができ、このような構成は、公知の通常の技術によって容易に構成することができるため、これについての詳細な説明は省く。
【００５１】
このため、本発明は、前記第１開閉部材２０１及び第２開閉部材４０１を通じて温度検出及び駆動制御部１００において検出された室内外の温度変化に応じて自動的に常に最適な開閉角度を維持して室内を換気することができる。
【００５２】
図３は、本発明の第１及び第２開閉部材を多数構成した温室屋根の両方向換気窓開閉装置を示す側面図であり、図４は、図３の平面図である。
【００５３】
図示の如く、本発明による温室屋根の両方向換気窓開閉装置は、第１開閉部材２０１、オープンヒンジ１０２、第１オープン押圧桿２０３、水平トラス１０５、水受け梁１１０、パイプローラー固定梁１１１、ラックピニオン支持梁１１２、柱１１４、屋根トラス１１５、水受け１１６、補助柱トラス１１８、屋根部材１１９、換気窓１２０、第１従動パイプ２０４、第１ラックピニオン２０６、パイプローラー２０７、第１駆動パイプ２０８、第１押圧桿ヒンジ２０９、第１モーター２１３、第２開閉部材４０１、第２オープン押圧桿４０３、第２従動パイプ４０４、第２ラックピニオン４０６、パイプローラー４０７、第２駆動パイプ４０８、第２押圧桿ヒンジ４０９及び第２モーター４１３を備える。
【００５４】
図示の如く、前記第１モーター２１３には、同じ方向に回転するように横方向に第１駆動パイプ２０８が延設され、前記第１駆動パイプ２０８には、前記第１モーター２１３の回転運動を直線運動に切り替える多数の第１ラックピニオン２０６が連結される。
【００５５】
また、多数の第１従動パイプ２０４は、前記多数の第１ラックピニオン２０６と係合されて前後方向に直線運動し、多数の第１オープン押圧桿２０３は、一方の側が多数の前記第１従動パイプ２０４と平行に並ぶようにヒンジ結合されて水平移動し、他方の側がそれぞれの多数の前記第１開閉部材２０１の下部にヒンジ結合されて前記第１開閉部材２０１を前方の上下方向に昇降させる。
【００５６】
このような構成により、前記第１モーター２１３が回転すれば、同じ方向に第１駆動パイプ２０８が回転し、これにより、多数の第１ラックピニオン２０６とここに係合された多数の前記第１従動パイプ２０４が前後方向に移動することになる。また、多数の第１従動パイプ２０４が前後方向に移動するにつれて第１オープン押圧桿２０３が、多数の前記第１開閉部材２０１の下部を押したり引っ張って多数の前記第１開閉部材２０１の角度を一括して調整することができる。
【００５７】
また、前記第２従動パイプ４０４には、縦方向に多数の前記第２オープン押圧桿４０３及びこれに対応する多数の前記第２開閉部材４０１が形成される。また、前記第２モーター４１３につれ回転する第２駆動パイプ４０８がさらに形成され、前記第２駆動パイプ４０８には、横方向に多数の前記第２ラックピニオン４０６と、これに対応する多数の前記第２従動パイプ４０４が形成される。
【００５８】
このため、前記第２モーター４１３が回転すれば、同じ方向に第２駆動パイプ４０８が回転し、これにより、多数の第１ラックピニオン４０６とここに係合された多数の前記第２従動パイプ４０４が前後方向に移動することになる。このため、第２オープン押圧桿４０３が、多数の前記第２開閉部材４０１の下部を押したり引っ張って多数の前記第２開閉部材４０１の角度を一括して調整することができる。
【００５９】
このときにも、上述したように、前記第１開閉部材２０１及び第２開閉部材４０１を支持する互いに連接する前記第１オープン押圧桿２０３と前記第２オープン押圧桿４０３は、互いに干渉しないように平行に互い違いに交差形成されて、それぞれの第１及び第２開閉部材２０１、４０１とそれぞれの第１及び第２従動パイプ２０４、４０４に連結されることが好ましい。
【００６０】
また、前記第１及び第２従動パイプ２０４、４０４は、多数が平行に並設されるが、それぞれの第１及び第２従動パイプ２０４、４０４が、１本おきに１本ずつ互い違いに配列される。
【００６１】
図５は、本発明による片側の側換気窓を開いた状態を示す斜視図であり、図６は、本発明による両側の換気窓を両方とも閉じた状態を示す斜視図であり、図７は、本発明による両側の換気窓を両方とも開いた状態を示す斜視図である。
【００６２】
図示の如く、多数の第１開閉部材２０１と多数の第２開閉部材４０１は、その平面配置において前記換気窓１２０の中央のオープンヒンジ１０２を中心として両側方向に対向配置するが、それぞれの第１開閉部材２０１と第２開閉部材４０１がそれぞれ互い違いに千鳥状に配置されることが好ましい。
【００６３】
また、本発明の温度検出及び駆動制御部１００は、上述したように、室内外の温度を検出し、検出された室内外の温度変化に応じて異なる大きさの信号を出力することができる。
【００６４】
このため、駆動手段２００は、前記温度検出及び駆動制御部１００から出力された信号の大きさに応じて多数の前記第１開閉部材２０１及び第２開閉部材４０１をヒンジを中心として左右方向に回動させて、温度に応じて開閉角度を変化させる。
【００６５】
前記屋根部材１１９は、不透明または透明の材質のパネルを前記屋根トラス１１５の表面に選択的に形成することができる。これにより、採光調節効果が得られる。
【００６６】
本発明は、最大の室内換気を得るために第１開閉部材２０１と第２開閉部材４０１を同時に開くことができ、一部の特定の開閉部材だけを選択して選択的に開閉することもできる。
【００６７】
例えば、図５に示すように、一方の側方向の第１開閉部材２０１だけをいずれも開き、反対側の第２開閉部材４０１をいずれも閉じることができる。
【００６８】
また、本発明を使用しないときには、図６に示すように、多数の前記第１開閉部材２０１及び第２開閉部材４０１を下方に畳み込んでおいて、換気窓１２０をいずれも閉じた状態にしてもよい。
【００６９】
また、例えば、図７に示すように、両側方向の第１開閉部材２０１及び第２開閉部材４０１を両方とも開いて最大の換気作用が得られるようにしてもよい。
【００７０】
このため、本発明によれば、両方向連動型に屋根を開閉することにより換気面積を広げて温室内部空気の換気量を増大することができ、温度に応じて適正な換気を維持することもできる。また、温室の支持骨組に加えられる荷重を減らすと共に、その屋根固定構造を強固にして風や荷重に上手く耐えるようにする強い構造を提供することができる。
【００７１】
本発明は、上述した特定の好適な実施の形態に限定されるものではなく、特許請求の範囲において請求する本発明の要旨を逸脱することなく、当該発明が属する技術分野において通常の知識を持った者であれば、誰でも種々の変形実施が可能であることはいうまでもなく、そのような変更は特許請求の範囲に記載の範囲内にある。
【符号の説明】
【００７２】
１００    温度検出及び駆動制御部
１０２    オープンヒンジ
１０５    水平トラス
１１０    水受け梁
１１１    パイプローラー固定梁
１１２    ラックピニオン支持梁
１１５    屋根トラス
１１４    柱
１１６    水受け
１１８    補助柱トラス
１１９    屋根部材
１２０    換気窓
２０１    第１開閉部材
２０３    第１オープン押圧桿
２０４    第１従動パイプ
２０６    第１ラックピニオン
２０７    パイプローラー
２０８    第１駆動パイプ
２０９    第１押圧桿ヒンジ
２１３    第１モーター
４０１    第２開閉部材
４０３    第２オープン押圧桿
４０４    第２従動パイプ
４０６    第２ラックピニオン
４０７    パイプローラー
４０８    第２駆動パイプ
４０９    第２押圧桿ヒンジ
１１２    ラックピニオン支持梁
４１３    第２モーター
【図１】
2012100545.tif 000003
【図２】
2012100545.tif 000004
【図３】
2012100545.tif 000005
【図４】
2012100545.tif 000006
【図５】
2012100545.tif 000007
【図６】
2012100545.tif 000008
【図７】
2012100545.tif 000009